(57)【要約】【課題】コストアップなく、携帯性に優れ、情報選択画面および情報の詳細内容表示画面を具えた情報表示装置を提供する。【解決手段】表示媒体を２枚の基板間に封入し、基板に設けた電極から電圧を印加することで表示媒体を駆動させることによって画像等の情報表示を書換えできるドットマトリックス方式表示部パネルで構成される表示画面を少なくとも２画面有する情報表示装置において、第１表示画面に位置座標検出装置を搭載し、前記第１表示画面に表示された選択情報の中から、前記位置座標検出装置により選択した情報の内容を、第２表示画面に表示させるようにしたことを特徴とする情報表示装置。【選択図】図８
2009063836.tif 000002
【特許請求の範囲】
【請求項１】
表示媒体を２枚の基板間に封入し、基板に設けた電極に電圧を印加することで表示媒体を駆動させることによって画像等の情報表示を書換えできるドットマトリックス方式表示部パネルで構成される表示画面を少なくとも２画面有する情報表示装置において、
第１表示画面に位置座標検出装置を搭載し、
前記第１表示画面に表示された選択情報の中から、前記位置座標検出装置により選択した情報の内容を、第２表示画面に表示させるようにしたことを特徴とする情報表示装置。
【請求項２】
前記基板間に封入した表示媒体が、電界駆動可能な表示媒体であることを特徴とする請求項１に記載の情報表示装置。
【請求項３】
前記ドットマトリックス方式表示部パネルで構成される表示画面を２画面有する情報表示装置において、
２画面を並列配置し、
第１表示画面に位置座標検出装置を搭載し、
前記第１表示画面に表示された選択情報の中から、前記位置座標検出装置により選択した情報の内容を、第２表示画面に表示させるようにしたことを特徴とする請求項１または２に記載の情報表示装置。
【請求項４】
前記ドットマトリックス方式表示部パネルで構成される表示画面を２画面有する情報表示装置において、
２画面を並列配置し、
並列配置した２画面の間で折りたたみ可能に構成し、
前記２画面が見開き画面となるように構成したことを特徴とする請求項３に記載の情報表示装置。
【請求項５】
前記ドットマトリックス方式表示部パネルで構成される表示画面を２画面有する情報表示装置において、
２画面を背中合わせに配置し、
第１表示画面に位置座標検出装置を搭載し、
前記第１表示画面に表示された選択情報の中から、前記位置座標検出装置により選択した情報の内容を、第２表示画面に表示させるようにしたことを特徴とする請求項１または２に記載の情報表示装置。
【請求項６】
前記ドットマトリックス方式表示部パネルで構成される表示画面を２画面有する情報表示装置において、
２画面を背中合わせに配置し、
表裏両面表示可能な１枚の表示部パネルにより前記２画面を構成し、
第１表示画面に透明なタッチパネル方式の位置座標検出装置を搭載し、
前記第１表示画面に表示された選択情報の中から、前記位置座標検出装置により選択した情報の内容を、第２表示画面に表示させるようにしたことを特徴とする請求項５に記載の情報表示装置。
【請求項７】
前記ドットマトリックス方式表示部パネルで構成される表示画面を２画面有する情報表示装置において、
２画面を背中合わせに配置し、
２枚のドットマトリックス方式表示部パネルを背中合わせに配置することにより前記２画面を構成し、
第１表示画面に透明なタッチパネル方式の位置座標検出装置を搭載し、
前記第１表示画面に表示された選択情報の中から、前記位置座標検出装置により選択した情報の内容を、第２表示画面に表示させるようにしたことを特徴とする請求項５に記載の情報表示装置。
【請求項８】
前記ドットマトリックス方式表示部パネルで構成される表示画面を２画面有する情報表示装置において、
２画面を背中合わせに配置し、
２枚のドットマトリックス方式表示部パネルを背中合わせに配置することにより前記２画面を構成し、
第１表示画面を構成する表示部パネルの裏側に電磁授受方式の位置座標検出装置を搭載し、
前記第１表示画面に表示された選択情報の中から、前記位置座標検出装置により選択した情報の内容を、第２表示画面に表示させるようにしたことを特徴とする請求項５に記載の情報表示装置。
【請求項９】
前記ドットマトリックス方式表示部パネルで構成される表示画面を２画面有する情報表示装置において、
２画面を背中合わせに配置し、
２画面の両表示面を電極付透明基板で構成し、
前記２枚の電極付透明基板の間の空間に電界駆動可能な表示媒体を封入し、電極付透明基板に設けた電極から電界を付与することで表示媒体を移動させることによって画像等の情報表示を書換えできる１枚のドットマトリックス方式表示部パネルをもって構成し、
第１表示画面に透明なタッチパネル方式の位置座標検出装置を搭載し、
前記第１表示画面に表示された選択情報の中から、前記位置座標検出装置により選択した情報の内容を、第２表示画面に表示させるようにしたことを特徴とする請求項６に記載の情報表示装置。
【請求項１０】
前記ドットマトリックス方式表示部パネルで構成される表示画面を２画面有する情報表示装置において、
２画面を背中合わせに配置し、
前記２画面の両表示面を電極付透明基板で構成し、
前記２枚の電極付透明基板の間に、前記２枚の電極付透明基板の電極と対をなす電極が両面に設けられた中央基板を配置して形成された２つの空間にそれぞれ、表示媒体を封入し、電極付透明基板と中央基板とに設けた電極から電圧を印加することで表示媒体を駆動させることによって画像等の情報表示を書換えを行い、
第１表示画面に透明なタッチパネル方式の位置座標検出装置を搭載し、
前記第１表示画面に表示された選択情報の中から、前記位置座標検出装置により選択した情報の内容を、第２表示画面に表示させるようにしたことを特徴とする請求項６に記載の情報表示装置。
【請求項１１】
前記ドットマトリックス方式表示部パネルで構成される表示画面を２画面有する情報表示装置において、
２画面を背中合わせに配置し、
第１表示画面に位置座標検出装置を搭載し、
前記第１表示画面に表示された選択情報の中から、前記位置座標検出装置により選択した情報の内容を、前記第２表示画面に表示させるように構成され、
前記情報表示装置は、めくられることで裏返し可能に装置基板に装着され、
前記情報表示装置をめくることにより、前記第２表示画面の表示情報を見るようにしたことを特徴とする請求項５〜１０のいずれかに記載の情報表示装置。
【請求項１２】
前記装置基板を、前記装着した情報表示装置を収納可能に折りたためるように構成したことを特徴とする請求項１１に記載の情報表示装置。
【請求項１３】
前記表示部パネルが、第２表示画面から第１表示画面に戻る場合に、画面書き換えを行う画面書き換え手段を有することを特徴とする請求項５〜１２のいずれかに記載の情報表示装置。
【請求項１４】
前記画面書き換え手段が、前記情報表示装置を、装置基板に装着する接合部分となるヒンジ部に設けられたヒンジ接点スイッチであることを特徴とする請求項１１〜１３のいずれかに記載の情報表示装置。
【請求項１５】
表示媒体を２枚の基板間に封入し、基板に設けた電極から電圧を印加することで表示媒体を駆動させることによって画像等の情報表示を書換えできるドットマトリックス方式表示部パネルで構成される表示画面を３画面有する情報表示装置において、
３画面のうちの２画面である第１表示画面と第２表示画面とを背中合わせに配置し、
前記２画面を構成する第１表示画面と第２表示画面とを背中合わせに配置した両面表示式表示部パネルは、めくられることで裏返し可能に装置基板に装着され、
３画面のうち残りの１画面である第３表示画面は、前記２画面を構成する両面表示式表示部パネルをめくることにより、前記第２表示画面とともに見開き画面となるように配置し、
前記第１表示画面に位置座標検出装置を搭載し、
前記第１表示画面に表示された選択情報の中から、前記位置座標検出装置により選択した情報の内容を、前記第２表示画面と前記第３表示画面とで形成される見開き画面に表示させるようにしたことを特徴とする請求項１に記載の情報表示装置。
【請求項１６】
前記基板間に封入した表示媒体が、電界駆動可能な表示媒体であることを特徴とする請求項１５に記載の情報表示装置。
【請求項１７】
前記ドットマトリックス方式表示部パネルで構成される表示画面を３画面有する情報表示装置において、
３画面のうちの２画面である第１表示画面と第２表示画面とを背中合わせに配置し、
表裏両面表示可能な１枚の表示部パネルにより前記２画面を構成し、
第１表示画面に透明なタッチパネル方式の位置座標検出装置を搭載し、
前記第１表示画面に表示された選択情報の中から、前記位置座標検出装置により選択した情報の内容を、前記第２表示画面および前記第３表示画面で形成される見開き画面に表示させるようにしたことを特徴とする請求項１６に記載の情報表示装置。
【請求項１８】
前記ドットマトリックス方式表示部パネルで構成される表示画面を３画面有する情報表示装置において、
３画面のうちの２画面である第１表示画面と第２表示画面とを背中合わせに配置し、
２枚の表示部パネルを背中合わせに配置することにより前記２画面を有する両面表示式表示部パネルとして構成し、
第１表示画面に透明なタッチパネル方式の位置座標検出装置を搭載し、
前記第１表示画面に表示された選択情報の中から、前記位置座標検出装置により選択した情報の内容を、前記第２表示画面および前記第３表示画面で形成される見開き画面に表示させるようにしたことを特徴とする請求項１５または１６に記載の情報表示装置。
【請求項１９】
前記ドットマトリックス方式表示部パネルで構成される表示画面を３画面有する情報表示装置において、
３画面のうちの２画面である第１表示画面と第２表示画面とを背中合わせに配置し、
２枚の表示部パネルを背中合わせに配置することにより前記２画面を有する両面表示式表示部パネルとして構成し、
第１表示画面を構成する表示部パネルの裏側に電磁授受方式の位置座標検出装置を搭載し、
前記第１表示画面に表示された選択情報の中から、前記位置座標検出装置により選択した情報の内容を、前記第２表示画面および前記第３表示画面で形成される見開き画面に表示させるようにしたことを特徴とする請求項１５またはに記載の情報表示装置。
【請求項２０】
前記ドットマトリックス方式表示部パネルで構成される表示画面を３画面有する情報表示装置において、
３画面のうちの２画面である第１表示画面と第２表示画面とを背中合わせに配置し、
２画面の両表示面を電極付透明基板で構成し、
前記２枚の電極付透明基板の間の空間に電界駆動可能な表示媒体を封入し、電極付透明基板に設けた電極から電界を付与することで表示媒体を移動させることによって画像等の情報表示を書換えできる１枚のドットマトリックス方式表示部パネルをもって構成し、
第１表示画面に透明なタッチパネル方式の位置座標検出装置を搭載し、
前記第１表示画面に表示された選択情報の中から、前記位置座標検出装置により選択した情報の内容を、前記第２表示画面および前記第３表示画面で形成される見開き画面に表示させるようにしたことを特徴とする請求項１６に記載の情報表示装置。
【請求項２１】
前記ドットマトリックス方式表示部パネルで構成される表示画面を３画面有する情報表示装置において、
３画面のうちの２画面である第１表示画面と第２表示画面とを背中合わせに配置し、
２画面の両表示面を電極付透明基板で構成し、
前記２枚の電極付透明基板の間に、前記２枚の電極付透明基板の電極と対をなす電極が両面に設けられた中央基板を配置して形成された２つの空間にそれぞれ、表示媒体を封入し、電極付透明基板と中央基板とに設けた電極から電圧を印加することで表示媒体を駆動させることによって画像等の情報表示を書換えを行い、
第１表示画面に透明なタッチパネル方式の位置座標検出装置を搭載し、
前記第１表示画面に表示された選択情報の中から、前記位置座標検出装置により選択した情報の内容を、前記第２表示画面および前記第３表示画面で形成される見開き画面に表示させるようにしたことを特徴とする請求項１５に記載の情報表示装置。
【請求項２２】
前記ドットマトリックス方式表示部パネルで構成された表示画面を３画面有する情報表示装置において、
前記２画面を構成する表示部パネルは、めくられることで裏返し可能に装置基板に装着され、
３画面のうち残りの１画面である第３表示画面は、前記２画面を構成する表示部パネルをめくることにより、前記第２表示画面とともに見開き画面となるように装置基板に装着され、
前記装置基板を、情報表示装置を収納可能に折りたためるように構成したことを特徴とする請求項１５に記載の情報表示装置。
【請求項２３】
前記表示部パネルが、第２表示画面から第１表示画面に戻る場合に、画面書き換えを行う画面書き換え手段を有することを特徴とする請求項２０〜２２のいずれかに記載の情報表示装置。
【請求項２４】
前記画面書き換え手段が、前記情報表示装置を、装置基板に装着する接合部分となるヒンジ部に設けられたヒンジ接点スイッチであることを特徴とする請求項２３に記載の情報表示装置。
【発明の詳細な説明】
【技術分野】
【０００１】
本発明は、表示媒体を２枚の基板間に封入し、基板に設けた電極から電圧を印加することで表示媒体を駆動させることによって画像等の情報表示を書換えできるドットマトリックス方式表示部パネルで構成される表示画面を少なくとも２画面を有し、第１の表示画面に表示された情報を選択すると第２の表示画面に選択した情報の内容が表示されるように構成された情報表示装置に関するものである。
【背景技術】
【０００２】
ドットマトリックス型表示方式の情報表示装置としては、液晶方式の情報表示装置（例えば特許文献１参照）や、帯電粒子気体中移動方式の情報表示装置や、帯電粒子液体中移動方式の情報表示装置（電気泳動方式式）が知られている。そのうち、帯電粒子気体中移動方式（電子粉流体方式を含む）の情報表示装置を利用した例として、本出願人は、電子書籍表示装置を開示している（例えば、特許文献２参照）。
また、電圧を印加することによって駆動し、画像等の情報表示が行える表示媒体としては、従来の液晶、コレステリック液晶、帯電させた着色粒子（移動による駆動方式や回転による駆動方式）、エレクトロクロミック材などがあり、特に表示メモリー性（Ｂｉｓｔａｂｌｅ性）を有する帯電粒子やコレステリック液晶は電子ペーパー用表示媒体として期待されている。
【０００３】
【特許文献１】特開平９−２６５４７０号公報
【特許文献２】特開２００６−５８５７８号公報
【発明の開示】
【発明が解決しようとする課題】
【０００４】
上述した電子書籍表示装置では、全画面に書籍情報を表示させる構成であり、表示させたい内容を選択するための内容選択画面（目次画面）を具えていない。ここで上述した電子書籍表示装置に内容を選択するための内容選択画面をもたせる構成の一例としては、全画面に一度内容選択情報を表示させ、画面から情報を選択後、その画面を消去してから選択していた情報を表示するものがあった。この際、内容選択画面をそのまま保持することができないという問題が生じる。このように、内容を選択した後に、内容選択画面を消去して選択した情報表示をすると、次に表示させたい情報を内容選択画面から選択する場合には、もう一度内容選択画面を表示させて表示させたい情報を選択した後画面を書換えることを繰り返す必要があり、見たい内容をすぐに表示させたいという点から問題があった。
【０００５】
本発明の目的は上述した問題点を解消し、内容選択画面および情報表示画面を見たいときに見ることができるようにした携帯性にも優れた情報表示装置を提供することにある。
【課題を解決するための手段】
【０００６】
本発明の情報表示装置は、表示媒体を２枚の基板間に封入し、基板に設けた電極に電圧を印加することで表示媒体を駆動させることによって画像等の情報表示を書換えできるドットマトリックス方式表示部パネルで構成される表示画面を少なくとも２画面有する情報表示装置において、第１表示画面に位置座標検出装置を搭載し、前記第１表示画面に表示された選択情報の中から、前記位置座標検出装置により選択した情報の内容を、第２表示画面に表示させるようにしたことを特徴とするものである。
【０００７】
本発明の情報表示装置は、前記基板間に封入した表示媒体が、電界駆動可能な表示媒体であることが好適である。
【０００８】
本発明の情報表示装置は、前記ドットマトリックス方式表示部パネルで構成される表示画面を２画面有する情報表示装置において、２画面を並列配置し、第１表示画面に位置座標検出装置を搭載し、前記第１表示画面に表示された選択情報の中から、前記位置座標検出装置により選択した情報の内容を、第２表示画面に表示させるようにしたことが好適である。
【０００９】
本発明の情報表示装置は、前記ドットマトリックス方式表示部パネルで構成される表示画面を２画面有する情報表示装置において、２画面を並列配置し、並列配置した２画面の間で折りたたみ可能に構成し、前記２画面が見開き画面となるように構成したことが好適である。
【００１０】
本発明の情報表示装置は、前記ドットマトリックス方式表示部パネルで構成される表示画面を２画面有する情報表示装置において、２画面を背中合わせに配置し、第１表示画面に位置座標検出装置を搭載し、前記第１表示画面に表示された選択情報の中から、前記位置座標検出装置により選択した情報の内容を、第２表示画面に表示させるようにしたことが好適である。
【００１１】
本発明の情報表示装置は、前記ドットマトリックス方式表示部パネルで構成される表示画面を２画面有する情報表示装置において、２画面を背中合わせに配置し、表裏両面表示可能な１枚の表示部パネルにより前記２画面を構成し、第１表示画面に透明なタッチパネル方式の位置座標検出装置を搭載し、前記第１表示画面に表示された選択情報の中から、前記位置座標検出装置により選択した情報の内容を、第２表示画面に表示させるようにしたことが好適である。
【００１２】
本発明の情報表示装置は、前記ドットマトリックス方式表示部パネルで構成される表示画面を２画面有する情報表示装置において、２画面を背中合わせに配置し、２枚のドットマトリックス方式表示部パネルを背中合わせに配置することにより前記２画面を構成し、第１表示画面に透明なタッチパネル方式の位置座標検出装置を搭載し、前記第１表示画面に表示された選択情報の中から、前記位置座標検出装置により選択した情報の内容を、第２表示画面に表示させるようにしたことが好適である。
【００１３】
本発明の情報表示装置は、前記ドットマトリックス方式表示部パネルで構成される表示画面を２画面有する情報表示装置において、２画面を背中合わせに配置し、２枚のドットマトリックス方式表示部パネルを背中合わせに配置することにより前記２画面を構成し、第１表示画面を構成する表示部パネルの裏側に電磁授受方式の位置座標検出装置を搭載し、前記第１表示画面に表示された選択情報の中から、前記位置座標検出装置により選択した情報の内容を、第２表示画面に表示させるようにしたことが好適である。
【００１４】
本発明の情報表示装置は、前記ドットマトリックス方式表示部パネルで構成される表示画面を２画面有する情報表示装置において、２画面を背中合わせに配置し、２画面の両表示面を電極付透明基板で構成し、前記２枚の電極付透明基板の間の空間に電界駆動可能な表示媒体を封入し、電極付透明基板に設けた電極から電界を付与することで表示媒体を移動させることによって画像等の情報表示を書換えできる１枚のドットマトリックス方式表示部パネルをもって構成し、第１表示画面に透明なタッチパネル方式の位置座標検出装置を搭載し、前記第１表示画面に表示された選択情報の中から、前記位置座標検出装置により選択した情報の内容を、第２表示画面に表示させるようにしたことが好適である。
【００１５】
本発明の情報表示装置は、前記ドットマトリックス方式表示部パネルで構成される表示画面を２画面有する情報表示装置において、２画面を背中合わせに配置し、前記２画面の両表示面を電極付透明基板で構成し、前記２枚の電極付透明基板の間に、前記２枚の電極付透明基板の電極と対をなす電極が両面に設けられた中央基板を配置して形成された２つの空間にそれぞれ、表示媒体を封入し、電極付透明基板と中央基板とに設けた電極から電圧を印加することで表示媒体を駆動させることによって画像等の情報表示を書換えを行い、第１表示画面に透明なタッチパネル方式の位置座標検出装置を搭載し、前記第１表示画面に表示された選択情報の中から、前記位置座標検出装置により選択した情報の内容を、第２表示画面に表示させるようにしたことが好適である。
【００１６】
本発明の情報表示装置は、前記ドットマトリックス方式表示部パネルで構成される表示画面を２画面有する情報表示装置において、２画面を背中合わせに配置し、第１表示画面に位置座標検出装置を搭載し、前記第１表示画面に表示された選択情報の中から、前記位置座標検出装置により選択した情報の内容を、前記第２表示画面に表示させるように構成され、前記情報表示装置は、めくられることで裏返し可能に装置基板に装着され、前記情報表示装置をめくることにより、前記第２表示画面の表示情報を見るようにしたことが好適である。
【００１７】
本発明の情報表示装置は、前記装置基板を、前記装着した情報表示装置を収納可能に折りたためるように構成したことが好適である。
【００１８】
本発明の情報表示装置は、前記表示部パネルが、第２表示画面から第１表示画面に戻る場合に、画面書き換えを行う画面書き換え手段を有することが好適である。
【００１９】
本発明の情報表示装置は、前記画面書き換え手段が、前記情報表示装置を、装置基板に装着する接合部分となるヒンジ部に設けられたヒンジ接点スイッチであることが好適である。
【００２０】
本発明の情報表示装置は、表示媒体を２枚の基板間に封入し、基板に設けた電極から電圧を印加することで表示媒体を駆動させることによって画像等の情報表示を書換えできるドットマトリックス方式表示部パネルで構成される表示画面を３画面有する情報表示装置において、３画面のうちの２画面である第１表示画面と第２表示画面とを背中合わせに配置し、前記２画面を構成する第１表示画面と第２表示画面とを背中合わせに配置した両面表示式表示部パネルは、めくられることで裏返し可能に装置基板に装着され、３画面のうち残りの１画面である第３表示画面は、前記２画面を構成する両面表示式表示部パネルをめくることにより、前記第２表示画面とともに見開き画面となるように配置し、前記第１表示画面に位置座標検出装置を搭載し、前記第１表示画面に表示された選択情報の中から、前記位置座標検出装置により選択した情報の内容を、前記第２表示画面と前記第３表示画面とで形成される見開き画面に表示させるようにしたことが好適である。
【００２１】
本発明の情報表示装置は、前記ドットマトリックス方式表示部パネルで構成される表示画面を３画面有する情報表示装置において、３画面のうちの２画面である第１表示画面と第２表示画面とを背中合わせに配置し、表裏両面表示可能な１枚の表示部パネルにより前記２画面を構成し、第１表示画面に透明なタッチパネル方式の位置座標検出装置を搭載し、前記第１表示画面に表示された選択情報の中から、前記位置座標検出装置により選択した情報の内容を、前記第２表示画面および前記第３表示画面で形成される見開き画面に表示させるようにしたことが好適である。
【００２２】
本発明の情報表示装置は、前記ドットマトリックス方式表示部パネルで構成される表示画面を３画面有する情報表示装置において、３画面のうちの２画面である第１表示画面と第２表示画面とを背中合わせに配置し、２枚の表示部パネルを背中合わせに配置することにより前記２画面を有する両面表示式表示部パネルとして構成し、第１表示画面に透明なタッチパネル方式の位置座標検出装置を搭載し、前記第１表示画面に表示された選択情報の中から、前記位置座標検出装置により選択した情報の内容を、前記第２表示画面および前記第３表示画面で形成される見開き画面に表示させるようにしたことが好適である。
【００２３】
本発明の情報表示装置は、前記ドットマトリックス方式表示部パネルで構成される表示画面を３画面有する情報表示装置において、３画面のうちの２画面である第１表示画面と第２表示画面とを背中合わせに配置し、２枚の表示部パネルを背中合わせに配置することにより前記２画面を有する両面表示式表示部パネルとして構成し、第１表示画面を構成する表示部パネルの裏側に電磁授受方式の位置座標検出装置を搭載し、前記第１表示画面に表示された選択情報の中から、前記位置座標検出装置により選択した情報の内容を、前記第２表示画面および前記第３表示画面で形成される見開き画面に表示させるようにしたことが好適である。
【００２４】
本発明の情報表示装置は、前記ドットマトリックス方式表示部パネルで構成される表示画面を３画面有する情報表示装置において、３画面のうちの２画面である第１表示画面と第２表示画面とを背中合わせに配置し、２画面の両表示面を電極付透明基板で構成し、前記２枚の電極付透明基板の間の空間に電界駆動可能な表示媒体を封入し、電極付透明基板に設けた電極から電界を付与することで表示媒体を移動させることによって画像等の情報表示を書換えできる１枚のドットマトリックス方式表示部パネルをもって構成し、第１表示画面に透明なタッチパネル方式の位置座標検出装置を搭載し、前記第１表示画面に表示された選択情報の中から、前記位置座標検出装置により選択した情報の内容を、前記第２表示画面および前記第３表示画面で形成される見開き画面に表示させるようにしたことが好適である。
【００２５】
本発明の情報表示装置は、前記ドットマトリックス方式表示部パネルで構成される表示画面を３画面有する情報表示装置において、３画面のうちの２画面である第１表示画面と第２表示画面とを背中合わせに配置し、２画面の両表示面を電極付透明基板で構成し、前記２枚の電極付透明基板の間に、前記２枚の電極付透明基板の電極と対をなす電極が両面に設けられた中央基板を配置して形成された２つの空間にそれぞれ、表示媒体を封入し、電極付透明基板と中央基板とに設けた電極から電圧を印加することで表示媒体を駆動させることによって画像等の情報表示を書換えを行い、第１表示画面に透明なタッチパネル方式の位置座標検出装置を搭載し、前記第１表示画面に表示された選択情報の中から、前記位置座標検出装置により選択した情報の内容を、前記第２表示画面および前記第３表示画面で形成される見開き画面に表示させるようにしたことが好適である。
【００２６】
本発明の情報表示装置は、前記ドットマトリックス方式表示部パネルで構成された表示画面を３画面有する情報表示装置において、前記２画面を構成する表示部パネルは、めくられることで裏返し可能に装置基板に装着され、３画面のうち残りの１画面である第３表示画面は、前記２画面を構成する表示部パネルをめくることにより、前記第２表示画面とともに見開き画面となるように装置基板に装着され、前記装置基板を、情報表示装置を収納可能に折りたためるように構成したことが好適である。
【００２７】
本発明の情報表示装置は、前記表示部パネルが、第２表示画面から第１表示画面に戻る場合に、画面書き換えを行う画面書き換え手段を有することが好適である。
【００２８】
本発明の情報表示装置は、前記画面書き換え手段が、前記情報表示装置を、装置基板に装着する接合部分となるヒンジ部に設けられたヒンジ接点スイッチであることが好適である。
【発明の効果】
【００２９】
本発明の情報表示装置によれば、表示媒体を２枚の基板間に封入し、基板に設けた電極から電圧を印加することで表示媒体を駆動させることによって画像等の情報表示を書換えできるドットマトリックス方式表示部パネルで構成される表示画面を少なくとも２画面有する情報表示装置において、第１表示画面に位置座標検出装置を搭載し、前記第１表示画面に表示された選択情報の中から、前記位置座標検出装置により選択した情報の内容を、第２表示画面に表示させるようにしたことにより、内容選択画面および情報表示画面を見たいときに見ることができるようにした携帯性にも優れた情報表示装置を提供することができる。
【発明を実施するための最良の形態】
【００３０】
本発明に用いる表示部パネルとしての好ましい構成を以下に説明する。まず、電界駆動可能な表示媒体を用いた表示方式としては、帯電粒子を気体中空間で駆動する方式や、帯電粒子を絶縁液体中で駆動する（電気泳動）方式や、半分ずつ帯電極性および色が異なる部分で構成した帯電粒子を絶縁液体とともにマイクロカプセル中で駆動（回転）する方式のものに適用できる。電圧を印加して駆動させる表示媒体を用いた表示方式としては、液晶方式、エレクトロクロミック方式のものに適用できる。また、２枚の基板には、電極を対で設け、この対電極間に形成された電界によって表示媒体を駆動させたり、この対電極から電圧を印加することによって表示媒体を駆動させたりして画像等の情報表示を書き換える。対電極は、ライン電極を互いに対向交差させて形成したり、個別電極を対向させて形成したりすることができる。いずれの場合もドットマトリックス型表示方式の表示画面とすることができる。
次に、電圧印加で駆動可能な表示媒体を用いた例として、以下のものが挙げられる。すなわち、本発明の技術は
（１）少なくとも一方が透明な２枚の電極付基板間の気体中空間に光学的反射率および帯電性を有する粒子を含んで構成した表示媒体を少なくとも１種類以上封入し、電極に電圧を印加して形成した電界を表示媒体に付与することによって、表示媒体を移動させて画像等の情報を表示する気体中粒子移動方式の表示部パネル、
（２）少なくとも一方が透明な２枚の電極付基板間の空間に光学的反射率および帯電性を有する粒子を含んで構成した表示媒体を液体とともに封入したマイクロカプセルを配置し、表示媒体に電界を付与することによって、表示媒体を移動させて画像等の情報を表示する電気泳動方式（液体中粒子移動方式）の表示部パネル、
（３）少なくとも一方が透明な２枚の電極付基板間の空間にコレステリック液晶を表示媒体として封入し、表示媒体に印加する電圧を制御することにより画像等の情報を表示するコレステリック液晶方式表示部パネル、
（４）少なくとも一方が透明な２枚の電極付基板間の空間に酸化状態と還元状態とで透明性が変化するエレクトロクロミック材料を表示媒体として充填し、電極に電圧を印加して表示媒体に電流を流して、電気化学反応により酸化状態、還元状態を変化させることにより、画像等の情報を表示するレクトロクロミック方式表示部パネル、
（５）その他、バイステイブル（Ｂｉｓｔａｂｌｅ）性（メモリー性）を有する、ＭＥＭＳ方式表示部パネル、銀の電解による析出表示部パネル、溶解反応を利用した方式の表示部パネルほか、従来の液晶方式を用いた表示部パネルにも適用できる。
なお、本発明の情報表示装置とは、表示部パネルの他、駆動装置をはじめとする各種電子部品および後述する位置座標検出装置により構成される。
【００３１】
さらに、ライン電極で構成した対電極の場合にはパッシブ駆動方式を用い、個別電極で構成した対電極の場合にはアクティブ駆動方式を用いる。いずれの場合もドットマトリックス型表示部パネルとすることができる。さらにまた、基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートを用いることができる。表示画面を構成する基板にはこのうち透明なものを用いる。
【００３２】
次に、表示部パネルの具体例として、帯電粒子（表示媒体）を気体中あるいは液体中空間で駆動する方式の一例を、図１（ａ）、（ｂ）〜図７により、それぞれを参照して説明する。
【００３３】
図１（ａ）、（ｂ）〜図４（ａ）、（ｂ）に示した例では、電界駆動可能な帯電粒子からなる表示媒体３３を２枚の基板３１、３２間の空間に封入し、基板３１、３２のそれぞれに設けた対電極３５、３６から電界を付与することで、表示媒体３３を移動させて画像等の情報表示を書き換えできるドットマトリックス型表示方式の表示部パネル２を示している。また、表示媒体３３を封入する基板３１、３２間の空間は、隔壁３４により複数のセル（小部屋）３７で仕切られている。これにより、封入した表示媒体３３が偏ることを防止できる。なお、図５に示すように、表示媒体３３をマイクロカプセルに封止した場合には、このマイクロカプセルがセル（小部屋）の機能を有するので、さらにセル（小部屋）を設けなくても良い。また、裏面側（視認側と反対側）の基板３１および裏面側の電極３５は透明である必要はないが、両側の基板および電極を透明とすることで、１枚の表示部パネルの表裏両面を使った両面表示が行える。
【００３４】
図１（ａ）、（ｂ）に示す例では、それぞれのセル３７に、帯電粒子からなる白色表示媒体３３Ｗと帯電粒子からなる黒色表示媒体３３Ｂとの２色の組み合わせの表示媒体を封入して白黒ドット表示をしている。図１（ａ）と図１（ｂ）との相違点は、図１（ａ）に示す例では対電極３５、３６を、ライン電極を対向直交交差して構成しているのに対し、図１（ｂ）に示す例では対電極３５、３６を個別対電極として構成している点である。
【００３５】
図２（ａ）、（ｂ）に示す例では、３つのセル３７を表示単位（１ドット）とし、それぞれのセル３７に、帯電粒子からなる白色表示媒体３３Ｗと帯電粒子からなる赤色表示媒体３３Ｒとの２色の組み合わせの表示媒体、帯電粒子からなる白色表示媒体３３Ｗと帯電粒子からなる緑色表示媒体３３Ｇとの２色の組み合わせの表示媒体、帯電粒子からなる白色表示媒体３３Ｗと帯電粒子からなる青色表示媒体３３ＢＬとの２色の組み合わせの表示媒体、を封入してカラー表示している。図２（ａ）、（ｂ）に示す例とも観察者に対し赤色ドット表示を行っている。図２（ａ）と図２（ｂ）との相違点は、図２（ａ）に示す例では対電極３５、３６を、ライン電極を対向直交交差して構成しているのに対し、図２（ｂ）に示す例では対電極３５、３６を個別対電極として構成している点である。表示媒体の２色の組み合わせは上述した例に限定されるものではなく、例えば、それぞれのセルに黒赤２色、黒緑２色、黒青２色の組み合わせで表示媒体を封入した構成によってもカラー表示することができる。
【００３６】
図３（ａ）、（ｂ）に示す例では、３つのセル３７を表示単位（１ドット）とし、それぞれのセル３７の両面に、三原色カラーフィルター４１Ｒ、４１Ｇ、４１ＢＬを配置し、帯電粒子からなる白色表示媒体３３Ｗと帯電粒子からなる黒色表示媒体３３Ｂの２色の表示媒体によってカラー表示している。この構成の表示部パネルでは基板３１、３２ともに透明とし、電極３５、３６ともに透明電極として、表示部パネルの両面を表示面とすることができる。図３（ａ）、（ｂ）とも観察者に対し青色ドット表示を行っている。図３（ａ）と図３（ｂ）との相違点は、図３（ａ）に示す例では対電極３５、３６を、ライン電極を対向直交交差して構成しているのに対し、図３（ｂ）に示す例では対電極３５、３６を個別対電極として構成している点である。他の構成として、４つのセル３７を表示単位（１ドット）とし、それぞれのセル３７に三原色カラーフィルターと無色のカラーフィルターとを配置し、白黒２色の表示媒体によってカラー表示することもできる。
【００３７】
また、カラーフィルターを用いてカラー表示する場合には、表示部パネルの表裏双方の表示面にカラーフィルターを設けることが好ましいが、どちらかの面ではカラー表示でなく２色で表示させたい場合にはどちらか１面にカラーフィルターを設けるだけでよい。このように構成することで、表裏の両面表示可能な１枚の表示部パネルとして、一面で高精細な文字等の情報を表示するのに好適なモノクロ表示を行い、他の面で図形等の情報を表示するのに好適なカラー表示を行うことができる。もちろん、用途に応じて、両面でモノクロ表示を行うこともできる。
【００３８】
図４（ａ）、（ｂ）に示す例では、３つのセル３７を表示単位（１ドット）とし、それぞれのセル３７に、帯電粒子からなる白色表示媒体３３Ｗと帯電粒子からなるマゼンタ色表示媒体３３Ｍとの２色の組み合わせの表示媒体、帯電粒子からなる白色表示媒体３３Ｗと帯電粒子からなるシアン色表示媒体３３Ｃとの２色の組み合わせの表示媒体、帯電粒子からなる白色表示媒体３３Ｗと帯電粒子からなるイエロー色表示媒体３３Ｙとの２色の組み合わせの表示媒体、を封入してカラー表示している。図４（ａ）、（ｂ）とも観察者に対しマゼンタ色ドット表示を行っている。図４（ａ）と図４（ｂ）との相違点は、図４（ａ）に示す例では対電極３５、３６、ライン電極を対向直交交差して構成しているのに対し、図４（ｂ）に示す例では対電極３５、３６を個別対電極として構成している点である。
【００３９】
電気泳動方式のディスプレイでドットマトリックス表示を行う場合はアクティブ駆動が必須となり、裏面側をＴＦＴ（Ｔｈｉｎ  Ｆｉｌｍ  Ｔｒａｎｓｉｓｔｏｒ）基板にする必要がある。図５（ａ）、（ｂ）はこれを図示しており、個別電極３５、３６で対電極を構成している。この場合、基板３１、４２間の空間に、白黒２色の表示媒体を絶縁液体８とともに充填したマイクロカプセル９を配置している。図５（ａ）と図５（ｂ）との相違点は、図５（ａ）に示す例では個別電極３５、３６をとマイクロカプセル９とを対応させないで構成しているのに対し、図５（ｂ）に示す例では個別電極３５、３６とマイクロカプセル９とを対応さて構成している点である。
本例では、白色表示媒体３Ｗを正（＋）に帯電する粒子とし、黒色表示媒体３Ｂを負（−）に帯電する粒子とした場合で説明する。まず、電極３５、３６に対して交互に０[Ｖ]、Ｖ[Ｖ]を印加して、前に表示した画像等の情報を消去し、表示面全体を黒表示にしておく。このとき、電極３６にはＶ[Ｖ]が印加され、ＴＦＴ画素電極には０[Ｖ]が印加されている。次に、電極３６を０[Ｖ]にしておいて、白に反転したい画素のみ電極３５に７０[Ｖ]を印加することで、当該画素のみを白反転することができる。
逆に、電極３５、３６に対して交互に０[Ｖ]、Ｖ[Ｖ]を印加して、前に表示した画像等の情報を消去し、表示面全体を白表示にしておく。このとき、電極３６には０[Ｖ]が印加され、ＴＦＴ画素電極にはＶ[Ｖ]が印加されている。次に、電極３６を７０[Ｖ]を印加しておいて、黒に反転したい画素のみ電極３５に０[Ｖ]を印加することで、当該画素のみを黒反転することができる。なお、図５（ａ）、（ｂ）において、手前にある隔壁は省略している。また、片面表示の表示部パネルとする場合は、視認側でないほうの基板と電極は透明でなくてもよい。
【００４０】
図６（ａ）〜（ｃ）に示す例は、電極付基板３１、３２の間の空間に、ネマティック液晶にカイラル剤を２０〜４０％添加したコレステリック液晶を封入し、電圧を印加することで、コレステリック液晶の配向状態を変化させて画像等の情報を表示するものである。
まず、基準となる図６（ａ）のプレーナ状態の場合は、コレステリック液晶の螺旋のピッチに対応した波長の光を選択的に反射する。このプレーナ状態に、電極付基板３１、３２に低電圧のパルスを印加することで、図６（ｂ）のフォーカルコニック状態に遷移する。このフォーカルコニック状態は光を透過するため、電極付基板３１の表面に設けた光吸収層により透過した光が吸収されるために黒表示となる。次に、電極付基板３１、３２に高圧パルスを印加することで、図６（ｃ）のホメオトロピック状態を経て図６（ａ）のプレーナ状態に戻る。このような動作を各画素ごとに行うことで、画像等の情報表示を行う。なお、コレステリック液晶の螺旋のピッチは添加するカイラル剤の種類や量によってコントロールすることができ、選択的に反射する光を赤色、緑色、青色にして、縦方向に３枚重ねることでフルカラー表示も可能である。
【００４１】
図７に示す例は、電極付基板３２の透明電極上に多孔質の酸化チタン（ＴｉＯ２）薄膜が形成され、その多孔質の酸化チタンの表面７３にビオローゲン誘導体のようなＲｅｄｏｘ系色素７４を吸着してある。一方の電極付基板３１の透明電極上にはＳｂをドープした酸化錫薄膜７５を形成し、その上にイオン透過可能な酸化チタンの粒子を層状に形成する。これら２枚の電極付基板の間に電解質を封入する。
両電極間に電流を流し、Ｒｅｄｏｘ系色素７４を酸化状態で発色させることにより色表示を行い、還元状態で消色状態では透明になるため、電極付基板３１の上に形成した酸化チタン７６が反射層になり、白表示を行う。この場合には、Ｒｅｄｏｘ系色素７４を選択することで、発色の波長を変えることが可能であり、カラー表示も可能である。
【００４２】
図８（ａ）〜（ｃ）はそれぞれ第１発明に係る情報表示装置である。図８（ａ）に示すように、情報表示装置５は２個の表示部パネル２を有し、表示画面を見開き型に並行配置して構成してあり、左側の表示画面には透明なタッチパネル式位置座標検出装置１０Ｔを設けてある。また、この情報表示装置は、２個の表示画面の間で折りたたむことができ、図８（ｂ）に示すように表示画面を内側に収納する形に折りたたんだり、図８（ｃ）に示すように、表示画面を外側に向けて、視認できる状態に折りたたむこともできる。図８の表示画面はともに片面表示方式の表示部パネル２で構成される。
【００４３】
図９（ａ）〜（ｄ）はそれぞれ第１発明に係る情報表示装置に用いる片面表示式の表示部パネルと座標位置検出装置の構成例であり、図９（ａ）は平面図を、図９（ｂ）は図９（ａ）のＡ−Ａ線に沿った断面図を、図９（ｃ）は平面図を、図９（ｄ）は図９（ｃ）のＡ−Ａ線に沿った断面図を、それぞれ示している。図９（ａ）〜（ｄ）に示す例において、片面に情報を表示できるように構成した表示部パネル２は、いずれかの面に位置座標検出装置が設けられ、さらにその周囲に筐体３が設けられている。図９（ａ）、（ｂ）において、位置座標検出装置は表示部パネル２の非表示面である裏面側に設けられた電磁授受式位置座標検出装置１０Ｄである。図９（ｃ）、（ｄ）において、位置座標検出装置は表示部パネル２の表示面側に設けられた透明なタッチパネル方式位置座標検出装置１０Ｔである。表示部パネル２としては、例えば、図１〜５で示した表示部パネルを用いる。
【００４４】
透明なタッチパネル式位置座標検出装置としては、抵抗膜方式タッチパネル、超音波方式タッチパネル、赤外線方式タッチパネル、アナログ容量結合方式タッチパネル等、表示部パネル表示面の光透過性の妨げにならない構成のパネル等が挙げられる。
【００４５】
図１０（ａ）〜（ｄ）はそれぞれ第１発明に係る情報表示装置の構成例であり、図１０（ａ）、（ｂ）はそれぞれ、情報表示装置を開いた状態の平面図を示し、左側は選択情報項目表示画面、右側は情報の詳細内容表示画面としており、図１０（ｃ）は情報表示装置を半分閉じた状態の斜視図を示し、図１０（ｄ）は情報表示装置を閉じた状態の側面図を示す。図１０の例では、情報表示装置の第１表示画面には位置座標検出装置を設け、第２表示画面には位置座標検出装置を設けていない。図１０（ａ）では、の情報表示装置５の左側の選択情報項目表示画面に目次を表示し、情報表示装置５の右側の情報の詳細内容表示画面には何も表示されていない。ここで、図１０（ｂ）に示すように、例えば、ユーザが選択情報項目表示画面の目次からある情報項目を選択すると、その選択された情報項目に応じた情報の詳細内容が、情報表示装置５の右側の表示画面に表示される。ここで、図示していないが、情報表示装置５の左側の選択情報項目表示画面には位置座標検出装置を設けてあり、これによって、選択情報項目に応じた情報の詳細内容が、情報表示装置５の右側の情報の詳細内容表示画面に表示されるようになる。図１０（ｃ）、（ｄ）に示すように、この情報表示装置５は書籍のように綴じることができ、携帯性に優れたものとなる。なお、この例では、情報表示装置５の左側を選択情報項目表示画面、右側を情報の詳細内容表示画面としているが、例えば縦書きの場合など、左右が逆の例も考えられる。
【００４６】
図１１および図１２はそれぞれ第１発明に係る他の情報表示装置の動作を説明するための図である。
【００４７】
図１１（ａ）、（ｂ）は、図６（ａ）に示した２画面並列配置の情報表示装置と同種の情報表示装置を折りたたむ様子を示している。左側の表示部パネル２の表示画面の裏面に、電磁授受方式位置検出装置１０Ｄを設けてあり、図１１（ａ）に示すように、電磁式ペンポインター２０Ｄで、ユーザが選択情報項目表示画面の目次からある情報項目を選択すると、その選択項目に応じた情報が、右側の表示部パネル２の表示画面に表示される。電磁授受方式位置座標検出装置１０Ｄは情報表示装置５の装置基板１１に設けてもよい。なお、図１１（ｂ）に示すように、情報表示装置は折りたたむことができる。
【００４８】
図１２（ａ）、（ｂ）は、図６（ａ）に示した２画面並列配置の情報表示装置と同種の情報表示装置を折りたたむ様子を示している。左側の表示部パネル２の表示画面の表面に、透明なタッチパネル方式位置座標検出装置１０Ｔを設けてあり、図１２（ａ）に示すように、ペンポインター２０Ｐで、ユーザが選択情報項目表示画面の目次からある情報項目を選択すると、その選択情報項目に応じた情報の詳細内容が、右側の表示部パネル２の表示画面に表示される。なお、ペンポインター２０Ｐの代わりに指で画面をタッチしてもよい。図１２（ｂ）に示すように、情報表示装置は折りたたむことができる。
【００４９】
図１３（ａ）〜（ｃ）はそれぞれ、２画面を表裏の両面に有する構成の第１発明に係る情報表示装置の他の例である。
図１３（ａ）では、情報表示装置５は、１個の両面表示可能な表示部パネル２と透明なタッチパネル方式位置座標検出装置１０Ｔとからなり、図１３（ｂ）では、情報表示装置５は、２個の表示部パネル２をその背面を貼り合わせて構成し、透明なタッチパネル方式位置座標検出装置１０Ｔを有し、図１３（ｃ）では、情報表示装置５は、２個の表示部パネル２をその背面を貼り合わせて構成してあり、その間に電磁授受式位置座標検出装置１０Ｄを有している。
図１３（ａ）〜（ｃ）のいずれにおいても、情報表示装置５をめくる（裏返す）ことで、表示部パネル２の表示画面を視認できるような構成である。
【００５０】
図１４（ａ）、（ｂ）はそれぞれ、第１発明に係る情報表示装置の他の例である。
図１４（ａ）、（ｂ）は、図１１（ａ）に示した情報表示装置５を装置基板１１にめくり可能に装着している。また、図１４（ｂ）に示すように、情報表示装置をめくり可能に、折りたたみ式の装置基板１１に綴じることもできる。
【００５１】
図１５（ａ）、（ｂ）はそれぞれ、第１発明に係る情報表示装置の他の例である。
図１５（ａ）、（ｂ）は、図１１（ｂ）に示した情報表示装置５を装置基板１１にめくり可能に装着している。また、図１５（ｂ）に示すように、情報表示装置をめくり可能に、折りたたみ式の装置基板１１に綴じることもできる。
【００５２】
図１６（ａ）、（ｂ）はそれぞれ、第１発明に係る情報表示装置の他の例である。
図１６（ａ）、（ｂ）は、図１１（ｃ）に示した情報表示装置５を装置基板１１にめくり可能に装着している。また、図１６（ｂ）に示すように、情報表示装置をめくり可能に、折りたたみ式の装置基板１１に綴じることもできる。
【００５３】
図１７（ａ）〜（ｆ）はそれぞれ第１発明に係る情報表示装置の座標位置検出装置の構成例であり、図１７（ａ）は平面図を、図１７（ｂ）は図１７（ａ）のＡ−Ａ線に沿った断面図を、図１７（ｃ）は平面図を、図１７（ｄ）は図１７（ｃ）のＡ−Ａ線に沿った断面図を、図１７（ｅ）は平面図を、図１７（ｆ）は図１７（ｅ）のＡ−Ａ線に沿った断面図を、それぞれ示している。
図１７（ａ）、（ｂ）では、２個の表示部パネル２を背中合わせに構成し、２個の表示部パネル２で電磁授受式位置座標検出装置１０Ｄを挟む例である。
図１７（ｃ）、（ｄ）では、１個の両面表示可能な表示部パネル２で構成し、表示部パネル２の一方の表示面側に透明なタッチパネル方式位置座標検出装置１０Ｔを配置した例である。
図１７（ｅ）、（ｆ）では、２個の表示部パネル２を背中合わせに構成し、一方の表示部パネル２の表示面側に透明なタッチパネル方式位置座標検出装置１０Ｔを配置した例である。
【００５４】
図１８（ａ）〜（ｄ）はそれぞれ第１発明に係る情報表示装置の構成例であり、図１８（ａ）は、情報表示装置５の第１表示面２ａを表示する平面図であり、図１８（ｂ）は、図１８（ａ）の状態からこの情報表示装置５をめくった状態の平面図であり、第２表示面２ｂを表示しており、図１８（ｃ）は装置基板１１で挟んだ情報表示装置５が閉じられていく状態の斜視図を示し、図１８（ｄ）は装置基板１１で挟んだ情報表示装置５を閉じた状態の側面図を示す。
図１８（ａ）に示すように、表裏両面に２画面を有する表示部パネル２Ｒの第１表示面２ａに目次を表示し、この第１表示面２ａをめくって現れる第２表示面２ｂ（両面表示式表示部パネル２Ｒの第１表示面２ａの裏面）に、図１８（ｂ）に示すように、選択された目次に応じた情報の詳細内容が表示される。ここで、図示はしていないが、第１表示面２ａの表面あるいは第１表示面２ａの裏面に位置座標検出装置を設けてあり、これによって、選択情報項目に応じた情報の詳細内容が、第２表示面２ｂに表示されることとなる。図１８（ｃ）、（ｄ）に示すように、この情報表示装置５は書籍のように綴じた構成とすることができ、携帯性に優れたものとなる。
【００５５】
図１９（ａ）〜（ｃ）はそれぞれ第１発明に係る情報表示装置の使用例である。情報表示装置５は、装置基板１１に綴じられる構成である。図１９（ａ）に示すように、情報表示装置５の第１表示面２ａに表示された目次情報の中から、読みたい情報の見出し表示部分にペンポインター２０Ｐを押し当てて選択する。画面に表示されていない見出し情報は、画面に表示されるスクロールボタンにペンポインター２０Ｐを押し当てて、画面をスクロールして表示させる。選択した見出しに対応した情報は、表示部パネル２の第２表示面２ｂに表示されているので、図１９（ｂ）に示すように表示部パネル２をめくって読むことができる。また、表示しきれていない情報内容は、表示画面をスクロールして表示させる。
次に、別の情報を読むために、目次画面に戻る場合には、装置基板１１に設けた画面書き換えスイッチ１５を押すと、情報表示装置あるいは装置基板に設けてある書き換え駆動装置が作動し、第１表示面２ａに元の見出し情報を表示するように画面の書き換えが行われる。このとき、情報表示装置５を両面表示可能な１個の表示部パネルを用いて２画面として構成した場合、第２表示面２ｂに表示されている情報は、第１表示面２ａへ表示されるべき情報へ書き換え途中のネガである。
次に、図１９（ｃ）に示すように、情報表示装置５をめくると、第１表示面２ａの見出し情報を見ることができる。両面表示可能な１個の表示部パネルを用いて２画面とした構成の場合は、画面書き換えスイッチ１５を押してから情報表示装置をめくると、第１表示面２ａに再表示された見出し情報を見ることができる。ペンポインター２０Ｐにて別の見出し情報を選択すると、図１９（ａ）、（ｂ）にて説明したように、第２表示面２ｂが選択した情報に書き換わり、情報表示装置５をめくり、この情報を読むことができる。情報表示装置５の表裏２画面を２個の表示部パネルを背中合わせに構成した場合、この画面書き換えスイッチは必要ない。
【００５６】
図２０（ａ）〜（ｄ）はそれぞれ第１発明に係る情報表示装置の構成例であり、情報表示装置５を装置基板１１にめくり可能に綴じた様子を示す。
図２０（ａ）、（ｃ）は、情報表示装置５の第１表示面２ａを表示する平面図であり、図２０（ｂ）、（ｄ）はそれぞれ、図２０（ａ）、（ｃ）に対応する、情報表示装置５を装置基板１１を半分閉じた状態の側面図を示す。この情報表示装置５は両面表示可能な１個の表示部パネルを用いて２画面とした表示部パネルの一方の表示面側に透明なタッチパネル方式位置座標検出装置を配置した構成となる。
図２０（ａ）、（ｂ）では、図２０で説明した画面切り替えスイッチ１５を装置基板１１の代わりに情報表示装置５の筐体３に設けている。
図２０（ｃ）、（ｄ）では、図２０で説明した画面切り替えスイッチ１５の代わりに、めくり用綴じ代部１６にヒンジ接点スイッチを内蔵している。以下図１９を用いてこのヒンジ接点スイッチの機構を説明する。
【００５７】
図２１（ａ）〜（ｄ）はそれぞれ本発明に用いるヒンジ接点スイッチの機構を説明するための図であり、図２１（ａ）、（ｂ）は、情報表示装置５を装置基板１１にめくり可能に綴じた様子を示す平面図であり、図２１（ｃ）、（ｄ）はそれぞれ、図２１（ａ）、（ｂ）に対応する側面図を示す。
図２１に示す例では、情報表示装置５と装置基板１１とを開閉自在に接続する可動固定部を構成するヒンジ部に、情報表示装置５の回転に従って回転する第１の導電接点６１と、ヒンジ部に固定された第２の導電接点６２とを同軸上に設けている。
図２１（ａ）、（ｃ）に示すように、第１の導電接点６１と第２の導電接点６２とが接触しない状態で、ヒンジ接点スイッチはＯＦＦの状態を構成し、図２１（ｂ）、（ｄ）に示すように、第１の導電接点６１と第２の導電接点６２とが接触した状態で、ヒンジ接点スイッチはＯＮの状態を構成する。そして、情報表示装置５を左側から右側にめくると（図２１（ａ）から図２１（ｂ）の状態にする）、第１の導電接点６１と第２の導電接点６２とが接触してヒンジ接点スイッチはＯＮとなり、第１表示面２ａに情報が表示される。図２１（ａ）に示すように、情報表示装置５が左側にある場合、第１の導電接点６１と第２の導電接点６２とは接触していない。情報表示装置５を右側から左側にめくると（図２１（ｂ）から図２１（ａ）の状態にする）、それぞれの導電接点６１、６２は接触状態から非接触状態になるが、このときにはスイッチ機能は動作しないので、第２表示面２ｂに表示された情報（この場合、目次から選択した情報の詳細内容）は情報表示装置５をめくって第２表示面２ｂを表側に向ければそのまま読むことができる。
情報表示装置５を左側から右側にめくることでヒンジ接点スイッチが動作し、画面切り替えスイッチを押したのと同等の役割を果たすことができる。
【００５８】
図２２（ａ）〜（ｄ）はそれぞれ本発明の、表裏に２画面が配置された情報表示装置の構成例であり、図２２（ａ）、（ｃ）は、両面表示式情報表示装置の平面図であり、図２２（ｂ）、（ｄ）はそれぞれ、図２２（ａ）、（ｃ）に対応する両面表示式情報表示装置の側面図を示す。
図２２は、両面表示式情報表示装置５の第１表示面２ａ側に透明なタッチパネル方式位置座標検出装置１０Ｔを設けている。両面表示式情報表示装置５の表示部パネル２の筐体３に、電池４５、駆動装置４６、データ格納部４８を搭載している。なお、電池４５、駆動装置４６、データ格納部４８等の搭載位置は、図２２（ａ）、（ｂ）に示すように表示部パネル２の筐体３の側部でもよいし、図２２（ｃ）、（ｄ）に示すように表示部パネル２の筐体３の下部でもよいし、めくり用綴じ代部１６内でもよいし、装置基板１１（ここでは図示しない）に綴じた場合には、装置基板１１内でもよい。
図２２に示した表裏両面に２画面が配置された情報表示装置５を両面表示可能な１個の表示部パネルを用いて２画面として構成する場合は、上述したように電池等の搭載位置は表示領域となる表示部パネルをよけた表示部パネルの筐体や装着基板とする。
【００５９】
図２３（ａ）〜（ｅ）はそれぞれ本発明に用いる表示部パネルを２枚背中合わせに重ねた構成例であり、図２３（ａ）、（ｃ）は、情報表示装置の平面図であり、図２３（ｂ）、（ｄ）はそれぞれ、図２３（ａ）、（ｃ）に対応する情報表示装置の側面図であり、図２３（ｅ）は図２３（ｄ）の変形例である。
図２０では、両面表示式表示部パネルを１枚用いて表裏２画面を構成した例を説明したが、図２３および以下で説明するように片面表示式表示部パネルを２枚背中合わせに重ねて表裏２画面を構成した情報表示装置としてもよい。
電池４５、駆動装置４６、データ格納部４８等の搭載位置は、図２３（ａ）、（ｂ）に示すように表示部パネル２の側部の筐体３内でもよいし、図２３（ｃ）〜（ｅ）に示すように２枚の表示部パネル２で挟んだ間の筐体３内でもよいし、めくり用綴じ代部１６内でもよいし、装置基板１１（ここでは図示しない）に綴じた場合には、装置基板１１内でもよい。
【００６０】
図２４〜図２５は、電界駆動可能な帯電粒子を表示媒体として片面表示式表示部パネルを用いて表裏２画面の情報表示装置とする構成例である。
図２４（ａ）、（ｂ）は、２枚の片面表示式表示部パネルを２枚の背中合わせに重ねて構成し、表示面となる基板３２および電極３６は透明で、背面側の基板３１および電極３５は非透明である。図２４（ａ）の表裏２画面は、図４（ａ）に示す表示部パネルの構成と同様で白黒ドット表示方式であり、図２４（ｂ）は、図２４（ａ）の表示面側の基板３６にカラーフィルターを設けたカラー表示方式である。
図２５（ａ）、（ｂ）は、図２４（ａ）、（ｂ）の背面側の基板３１を中央基板として、左右の表示部パネルで共有し、表裏２画面としている。表示面となる２枚の基板３２および電極３６は透明で、中央基板３１および電極３５は非透明である。図２５（ａ）が白黒ドット表示方式、図２５（ｂ）がカラー表示方式である。帯電粒子の代わりに、コレステリック液晶を表示媒体として用いたり、エレクトロクロミック材や他の液晶を表示媒体とすることも可能である。
【００６１】
図２６（ａ）〜（ｃ）はそれぞれ、第２発明に係る情報表示装置である。情報表示装置５は、２個の表示部パネル２からなり、一方の表示部パネル２に位置座標検出装置を設けている。位置座標検出装置を設けた表示部パネル２をめくることで、表示部パネル２の第２表示が面２ｂと、もう一方の表示部パネル２の第３表示画面２ｃとにより見開き画面を構成する。
なお、図２６（ａ）では、左側の画面を、１個の表示部パネル２から構成してあり、図２６（ｂ）、（ｃ）では、左側の画面を、２個の表示部パネル２をその背面を貼り合わせて構成し、図２６（ｂ）では第１表示面２ａに透明なタッチパネル方式位置座標検出装置１０Ｔを設け、図２６（ｃ）では２個の表示部パネル２の間に電磁授受方式位置座標検出装置１０Ｄを設ける。
【００６２】
図２７は第２発明に係る情報表示装置の他の例であり、図２７（ａ）〜（ｃ）はそれぞれ、図２４（ａ）〜（ｃ）に対応し、図２４（ａ）〜（ｃ）の右側の表示部パネル２のパネルサイズを大きくした構成である。これにより、左右２画面の見開き表示を大画面で構成することが可能となる。
【００６３】
図２８（ａ）〜（ｆ）はそれぞれ第２発明に係る情報表示装置の座標位置検出装置の構成例であり、図２８（ａ）は平面図を、図２８（ｂ）は図２８（ａ）のＡ−Ａ線に沿った断面図を、図２８（ｃ）は平面図を、図２８（ｄ）は図２８（ｃ）のＡ−Ａ線に沿った断面図を、図２８（ｅ）は平面図を、図２８（ｆ）は図２８（ｅ）のＡ−Ａ線に沿った断面図を、それぞれ示している。
図２８（ａ）、（ｂ）では、１個の両面表示可能な表示部パネル２で構成し、表示部パネル２の一方の表示面側に透明なタッチパネル方式位置座標検出装置１０Ｔを配置した例である。
図２８（ｃ）、（ｄ）では、２個の表示部パネル２を背中合わせに構成し、一方の表示部パネル２の表示面側に透明なタッチパネル方式位置座標検出装置１０Ｔを配置した例である。
図２８（ｅ）、（ｆ）では、２個の表示部パネル２を背中合わせに構成し、２個の表示部パネル２で電磁授受式位置座標検出装置１０Ｄを挟む例である。
【００６４】
図２９（ａ）〜（ｄ）はそれぞれ第２発明に係る情報表示装置の構成例であり、図２９（ａ）は、情報表示装置５の第１表示面２ａを表示する平面図であり、図２９（ｂ）は、図２９（ａ）の状態から表裏２画面構成の表示部パネルをめくった状態の平面図であり、第２表示面２ｂと第３表示面２ｃとで形成される見開き画面を表示しており、図２９（ｃ）は情報表示装置を半分閉じた状態の斜視図を示し、図２９（ｄ）は情報表示装置を閉じた状態の側面図を示す。
図２９（ａ）に示すように、両面表示式表示部パネル２Ｒの第１表示面２ａに目次を表示し、この第１表示面２ａをめくって現れる第２表示面２ｂ（表裏両面に２画面を有する両面表示式表示部パネル２Ｒの第１表示面２ａの裏面）および片面表示式表示部パネル２Ｋの第３表示面２ｃとで形成される見開き画面に、図２９（ｂ）に示すように、選択された目次に応じた情報の詳細内容が表示される。ここで、図示はしていないが、第１表示面２ａの表面に位置座標検出装置を設けてあり、これによって、選択情報項目に応じた情報の詳細内容が、第２表示面２ｂおよび第３表示面２ｃとで形成される見開き画面に表示されることとなる。図２９（ｃ）、（ｄ）に示すように、この情報表示装置５は書籍のように綴じることができ、携帯性に優れたものとなる。表示部パネル２を両面で使うことができるので、パネル枚数を増やすことなく、それゆえコストアップや重量・体積増加を引き起こすことなく選択情報項目表示画面（目次画面）と見開きで構成される１つの大画面の情報の詳細内容表示画面を有することが可能となる。見開きの大画面とすることで、より見やすい（読みやすい）表示ができる。
【産業上の利用可能性】
【００６５】
本発明の情報表示装置は、電子書籍、電子楽譜、電子新聞、電子マニュアル（取扱説明書）、電子説明書（展示物等の説明書き）、電子カタログとして好適に利用することができる。
【図面の簡単な説明】
【００６６】
【図１】（ａ）、（ｂ）はそれぞれ本発明に用いる表示部パネルの一具体例を説明するための図である。
【図２】（ａ）、（ｂ）はそれぞれ本発明に用いる表示部パネルの他の具体例を説明するための図である。
【図３】（ａ）、（ｂ）はそれぞれ本発明に用いる表示部パネルのさらに他の具体例を説明するための図である。
【図４】（ａ）、（ｂ）はそれぞれ本発明に用いる表示部パネルのさらに他の具体例を説明するための図である。
【図５】（ａ）、（ｂ）はそれぞれ本発明に用いる表示部パネルのさらに他の具体例を説明するための図である。
【図６】（ａ）〜（ｃ）はそれぞれ本発明に用いる表示部パネルのさらに他の具体例を説明するための図である。
【図７】本発明に用いる表示部パネルのさらに他の具体例を説明するための図である。
【図８】（ａ）〜（ｃ）はそれぞれ第１発明に係る情報表示装置である。
【図９】（ａ）〜（ｄ）はそれぞれ第１発明に係る情報表示装置の座標位置検出装置の構成例である。
【図１０】（ａ）〜（ｄ）はそれぞれ第１発明に係る情報表示装置の構成例である。
【図１１】（ａ）、（ｂ）はそれぞれ第１発明に係る情報表示装置の動作を説明するための図である。
【図１２】（ａ）、（ｂ）はそれぞれ第１発明に係る情報表示装置の動作を説明するための図である。
【図１３】（ａ）〜（ｃ）はそれぞれ第１発明に係る情報表示装置の他の例である。
【図１４】（ａ）、（ｂ）はそれぞれ第１発明に係る情報表示装置の他の例である。
【図１５】（ａ）、（ｂ）はそれぞれ第１発明に係る情報表示装置の他の例である。
【図１６】（ａ）、（ｂ）はそれぞれ第１発明に係る情報表示装置の他の例である。
【図１７】（ａ）〜（ｆ）はそれぞれ第１発明に係る情報表示装置の座標位置検出装置の構成例である。
【図１８】（ａ）〜（ｄ）はそれぞれ第１発明に係る情報表示装置の構成例である。
【図１９】（ａ）〜（ｃ）はそれぞれ第１発明に係る情報表示装置の使用例である。
【図２０】（ａ）〜（ｄ）はそれぞれ第１発明に係る情報表示装置の構成例である。
【図２１】（ａ）〜（ｄ）はそれぞれ本発明に用いるヒンジ接点スイッチの機構を説明するための図である。
【図２２】（ａ）〜（ｄ）はそれぞれ本発明に用いる表裏２画面の両面表示式表示部パネルの構成例である。
【図２３】（ａ）〜（ｅ）はそれぞれ本発明に用いる片面表示式表示部パネルを２枚の背中合わせに重ねた表裏２画面の両面表示式表示部パネルの構成例である。
【図２４】（ａ）、（ｂ）はそれぞれ、２枚の片面表示式表示部パネルを用いて表裏２画面の両面表示の表示部パネルとする構成例である。
【図２５】（ａ）、（ｂ）はそれぞれ、２枚の片面表示式表示部パネルを用いて両面表示の表示部パネルとする構成例である。
【図２６】（ａ）〜（ｃ）はそれぞれ第２発明に係る情報表示装置である。
【図２７】（ａ）〜（ｃ）はそれぞれ第２発明に係る他の情報表示装置である。
【図２８】（ａ）〜（ｆ）はそれぞれ第２発明に用いる１枚の表裏２画面の両面表示式表示部パネルと座標位置検出装置の構成例である。
【図２９】（ａ）〜（ｄ）はそれぞれ第２発明に係る情報表示装置の構成例である。
【符号の説明】
【００６７】
２          表示部パネル
２ａ        第１表示面
２ｂ        第２表示面
２ｃ        第３表示面
２Ｒ        両面表示式表示部パネル
２Ｋ        片面表示式表示部パネル
３          筐体
５          情報表示装置
８          絶縁液体
９          マイクロカプセル
１０        位置座標検出装置
１０Ｄ      電磁授受方式位置座標検出装置
１０Ｔ      透明なタッチパネル方式位置座標検出装置
１１        装置基板
１５        画面書き換えスイッチ
１６        めくり用綴じ代部
２０Ｄ      電磁式ペンポインター
２０Ｐ      ペンポインター
２１ａ      折り畳み可動部
１２、２２  可動固定部
３１、３２  透明基板
３３        表示媒体
３３Ｗ      白色表示媒体
３３Ｂ      黒色表示媒体
３３Ｒ      赤色表示媒体
３３Ｇ      緑色表示媒体
３３ＢＬ    青色表示媒体
３３Ｍ      マゼンタ色表示媒体
３３Ｃ      シアン色表示媒体
３３Ｙ      イエロー色表示媒体
３４        隔壁
３５、３６  透明電極
３７        セル
４１Ｒ      赤色カラーフィルター
４１Ｇ      緑色カラーフィルター
４１ＢＬ    青色カラーフィルター
４５        電池
４６        駆動装置
４８        データ格納部
６１、６２  導電接点
７３        酸化チタンの表面
７４        Ｒｅｄｏｘ系色素
７５        酸化錫薄膜
７６        酸化チタン
【図１】
2009063836.tif 000003
【図２】
2009063836.tif 000004
【図３】
2009063836.tif 000005
【図４】
2009063836.tif 000006
【図５】
2009063836.tif 000007
【図６】
2009063836.tif 000008
【図７】
2009063836.tif 000009
【図８】
2009063836.tif 000010
【図９】
2009063836.tif 000011
【図１０】
2009063836.tif 000012
【図１１】
2009063836.tif 000013
【図１２】
2009063836.tif 000014
【図１３】
2009063836.tif 000015
【図１４】
2009063836.tif 000016
【図１５】
2009063836.tif 000017
【図１６】
2009063836.tif 000018
【図１７】
2009063836.tif 000019
【図１８】
2009063836.tif 000020
【図１９】
2009063836.tif 000021
【図２０】
2009063836.tif 000022
【図２１】
2009063836.tif 000023
【図２２】
2009063836.tif 000024
【図２３】
2009063836.tif 000025
【図２４】
2009063836.tif 000026
【図２５】
2009063836.tif 000027
【図２６】
2009063836.tif 000028
【図２７】
2009063836.tif 000029
【図２８】
2009063836.tif 000030
【図２９】
2009063836.tif 000031